(57)【要約】      （修正有）【課題】緊急時や災害時、キャンプ等に利用することもできる調理補助包装袋であって、該包装袋に記載されたレシピにより、さらには液体調味料や水の分量を計量できる表示を有する包装袋を提供する。【解決手段】加熱調理するための樹脂製の容器状の包装袋であり、該包装袋の表面に調理する材料の種類とその量およびお湯に浸す料理時間等のレシピを表示して調理用の包装袋とする。該包装袋１は、耐熱性に優れ、１２０℃（３０分）に耐え得る素材で製作し、その表面に料理名２と、該料理に必要な食材とその量、さらには熱湯に浸す時間が記載されたレシピ欄３を有し、さらには調理のための水量や調味料の量を必要量を示す計量線４を斜めに形成したものである。この計量線４を包装袋１の下端コーナー部５に形成したことにより、水や調味料などの液体を注入した時に円錐状となるため、比較的正確に計量できる。【選択図】図１
0003176752.tif 000002
【実用新案登録請求の範囲】
【請求項１】
加熱調理するための樹脂製の容器状の包装袋であり、該包装袋の表面に材料とその量および料理時間等のレシピを表示した調理用の包装袋。
【請求項２】
調理のための調味料や水などの必要量を調理用の包装袋の下端の一方の角を底となるように斜めの計量線が記載された請求項１記載の調理用包装袋。
【考案の詳細な説明】
【技術分野】
【０００１】  本考案は、緊急時や災害時に利用することのできる調理補助包装袋に関するものであり、該包装袋に記載されたレシピにより、さらには液体調味料や水の分量を計量できる表示を有する包装袋であり、例えばナイロン製の耐熱樹脂により形成されているため、熱湯等に所要時間浸すことにより料理が完成するとともに、調理用鍋を汚すことがないため、洗浄水を必要とすることのないものである。所要時間後容器に移すか、あるいは袋を開封し、そのまま食することのできる包装袋を提供するものである。
【背景技術】
【０００２】  従来は、緊急時にはパンやおにぎりを配布しながら緊急時の食事を済まさざるを得ない。また、お湯の調達が可能な場合にはインスタント麺により、温かい食事に変えざるを得ない。これらの事は緊急災害時には、止むを得ないと言いつつもストレスの一因となっていた。これらを解消するものとして、出来立てのパンを簡単に味わえる緊急時のパンが提供されるようになっているが、まだまだ普及されているとは言い難い状況である。
また、緊急時や災害時には対応できないが、従来にないインパクトのある食品包装用容器の表面部分を造形するとともに、消費者に効果的にその食品の調理例を提案することを可能とし、食品包装用容器をわざわざ裏返すことなく、消費者に献立の調理例を具体的に複数提供することができ、消費者の献立を考える時間及び買い物に要する時間を節約することができ、購買意欲が喚起され、更に家庭ではその調理方法を見ながら効率的に調理することができる便利な食品包装用容器を提供するものとして特開２０１２−１２５５号公報（特許文献１）が提案され、食品を包装する食品包装用容器において、表面に、その食品を使用した調理例が表示された調理例表示部を複数設けるようにしたものである。料理の応用例を示されたものであり、献立の時間や買い物の時間の削減には極めて効果があるが緊急時や災害時での対応はなされていない。
また、調理用袋として意匠登録第１２８２９１７号公報（特許文献２）として調理に用いる袋が提案されているが袋の表面にレシピなどが記載されたものではない。【０００３】
【特許文献１】特開２０１２−１２５５号公報
【特許文献２】意匠登録第１２８２９１７号公報
【考案の開示】
【考案が解決しようとする課題】
【０００４】  本考案は、従来の問題点に鑑み案出されたものであり、緊急時や災害時に水を温める手段があれば簡単に調理ができ災害などの緊急時に温かい調理された料理により、精神的満足感を与えることのできる調理用包装袋を提供するものである。
【課題を解決するための手段】
【０００５】  本考案は、図１に示すように加熱調理するための樹脂製の容器状の包装袋であり、該包装袋の表面に調理する材料の種類とその量およびお湯に浸す料理時間等のレシピを表示した調理用の包装袋である。
耐熱性に優れ、１２０℃（３０分）に耐え得る市販のもので包装袋１であり、該包装袋１の表面に料理名２と、該料理に必要な食材とその量、さらには熱湯に浸す時間が記載されたレシピ欄３を有し、さらには調理のための水量や調味料の量を必要量を示す計量線４を斜めに形成したものである。この計量線４を包装袋１の下端コーナー部５に形成したことにより、水や調味料などの液体を注入した時に円錐状となるため、比較的正確に計量できるものである。
【考案を実施するための形態】
【０００６】  本考案の包装袋１を実施例に基づいて説明すると、図２はカレーの調理を示すものであり、耐熱性に優れ、１２０℃（３０分）に耐え得る市販のナイロン製で包装袋１であり、該包装袋１の表面に料理名２であるカレーが記載され、該料理であるカレーに必要な食材として１人分の量で、じゃがいも１個、玉ねぎ１／４個、にんじん１／４個、シーチキン１／２缶、カレールー固形１かけ、水が５０ｃｃがレシピ欄３に記載され、調理方法として袋から空気を抜き、上端を緩く紐等で縛り、約３０分〜４０分ボイルするとの記載が設けてある。さらには熱湯に浸す時間が記載されたレシピ欄３を有し、さらには調理のための水量や調味料の量として必要量を示す計量線４を斜めに形成したものである。この計量線４を包装袋１の下端コーナー部５に形成したことにより、水や調味料などの液体である水５０ｃｃを注入した時に円錐状となるため、比較的正確に計量できるものである。
【０００７】  また、ご飯を作る場合の実施例を図３に従って説明すると、ナイロン製の包装袋１内に一人分の調理方法として、レシピ欄３に示されている通り米１００ｇ、水１３０ｃｃを挿入する。水１３０ｃｃは、丁度その量になるようにコーナー部５に計量線４が形成されているため、容易に計ることができる。調理方法は同様に、記載された内容により、熱湯内で約３０分〜４０分ボイルすることで完成するものである。
【０００８】  他の実施例として、図示は省略するが、ナポリタンスパゲッティを調理する場合は、レシピ欄３に示されている通り、乾麺パスタ１００ｇ、玉ねぎ１／２個、ウィンナー２本、固形コンソメ１個トマトジュース１８０ｃｃ、ケチャプ５０ｇで、同様に熱湯内で約３０分〜４０分ボイルすることで完成するものである。
調理例としては、図示は省略するが、蒸しパン、肉じゃが風シーチキンじゃが、豚汁、ポトフ、カボチャポテトサラダ等が調理できる。これらは一例であり、工夫次第でどのような調理も可能である。
【０００９】  本考案は、調理を完成させるレシピを食品包装用容器である包装袋の表面に印刷することにより、消費者に効果的にその食品そのものを提供することを可能とするものである。
【００１０】  以上のようにしてなる本考案による包装袋は例えば非常時などの食事の際も簡単に温かい料理を完成させることができ、災害時での避難生活を食事を取りながらの団欒を提供できることとなり、災害時の避難生活でのストレスも解消できることが期待できるものと思われる。
【００１１】  また、災害時のみでの利用ではなく、キャンプでの料理としても調理用具の多くを必要とすることなく利用できるものである。
【考案の効果】
【００１２】  本考案の包装袋は、調理道具を最小限としながらも簡単かつ美味しい料理が提供でき、災害時やキャンプなど調理に制約のある場面で利用できるばかりでなく、ナイロン袋であるため、５〜１０種類の本考案包装袋を１セットとして、市役所、県庁や避難場所として指定されている小学校等に常備することも場所を取らず緊急時の備品として常備しておくことも出来る等、極めて有用な考案である。
【図面の簡単な説明】
【００１３】
【図１】本考案の実施例を示す正面図である。
【図２】他の実施例を示す主要部分を示す正面図である。
【図３】他の実施例を示す主要部分を示す正面図である。
【符号の説明】
【００１４】    １  包装袋
２  料理名
３  レシピ欄
４  計量線
５  コーナー部
【図１】
0003176752.tif 000003
【図２】
0003176752.tif 000004
【図３】
0003176752.tif 000005